(57)【要約】  【課題】  振動板が大きく振動しても支持部材の固定部位が当該振動板から剥離し難い構造となるスピーカを提供することである。  【解決手段】  音響信号に応じた振動の付与される振動板１０と、振動板１０の径方向外側部を支持する支持部材１１とを有し、支持部材１１は、支持部材本体１１０と、支持部材本体１１０の径方向内側に続いて形成され、振動板１０の径方向外側部に固定される内側固定部１１２と、支持部材本体１１０の径方向外側に続いて形成され、フレーム５０前端の取付け部５１に固定される外側固定部１１１とを有するスピーカであって、支持部材本体１１０は、内側固定部１１２の振動板１０に対する固定面１１２ａの対向する側から固定面１１２ａの外周縁ＬOEと内周縁ＬIEとの間に向けて内側固定部１１２に続いている構成となる。【選択図】  図２
2006340184.tif 000002
【特許請求の範囲】
【請求項１】
音響信号に応じた振動の付与される振動板と、
該振動板の径方向外側部をフレームに対して振動可能に支持する支持部材とを有し、
前記支持部材は、支持部材本体と、該支持部材本体の径方向内側に続いて形成され、前記振動板の径方向外側部に固定される内側固定部と、前記支持部材本体の径方向外側に続いて形成され、フレームの取付け部に固定される外側固定部とを有するスピーカであって、
前記支持部材本体は、前記内側固定部の前記振動板に対する固定面に対向する側から前記固定面の外周縁と内周縁との間に向けて前記内側固定部に続いていることを特徴とするスピーカ。
【請求項２】
前記内側固定部は、前記支持部材本体から前記固定面に向けて広がる断面形状を有することを特徴とする請求項１記載のスピーカ。
【発明の詳細な説明】
【技術分野】
【０００１】
本発明は、外周縁部がフレームの取付け部に固定された支持部材にて振動板の径方向外側部が支持された構造となるスピーカに関する。
【背景技術】
【０００２】
一般のスピーカは、音響信号に応じた振動の付与される振動板の径方向外側部が支持部材にて支持された構造となっている（例えば、特許文献１参照）。この種のスピーカの具体的な構造は、例えば、図７に示すようになっている。なお、図７は、スピーカの前端部分を示す断面図である。
【０００３】
図７において、このスピーカは、コーン状の振動板１の径方向（図７における左から右に向かう方向）外側部とフレーム前端に形成された取付け部３との間に支持部材２が介在している。支持部材２は、断面形状が前方（図７における上方向）に突出した椀状となる支持部材本体２ａと、支持部材本体２ａの径方向内側に続いて形成される延長部２ｂと、支持部材本体２ａの径方向外側に続いて形成される外側固定部２ｃとからなっている。支持部材２の外側固定部２ｃは、取付け部３の前方に向いた取付け面３ａに接着固定され、支持部材２の延長部２ｂ（内側固定部）は、振動板１の径方向外側部裏面に接着固定されている。このようにして、振動板１の径方向外側部が支持部材２によって支持される。
【０００４】
このような構造のスピーカでは、ボイスコイルユニット等の振動機構（図示略）によって振動板１の径方向内側部に音響信号に応じた振動が付与されると、支持部材２にて径方向外側部の支持された振動板１が、図７の状態Ａ０、状態Ａ１、状態Ａ２のように振動する。このような音響信号に基づく振動板１の振動によってその音響信号に応じた音が前方に向けて発せられる。
【特許文献１】特開平５−１７６３９３号公報
【発明の開示】
【発明が解決しようとする課題】
【０００５】
ところで、前述したような構造のスピーカでは、例えば、図７の状態Ａ２のように振動板１の振幅が大きくなると、支持部材本体２ａと振動板１の径方向外側部に固定された延長部２ｂ（内側固定部）との境界部Ｐが折れ曲がり、支持部材本体２ａに発生する張力Ｆがその境界部Ｐ、即ち延長部２ｂ（内側固定部）の外側縁に集中して作用するようになる。このため、振動板１に接着固定された延長部２ｂ（内側固定部）がその外側縁（Ｐ）から剥離し易い。
【０００６】
本発明は、前述したような従来の問題を解決するためになされたもので、振動板が大きく振動しても支持部材の固定部位が当該振動板から剥離し難い構造となるスピーカを提供するものである。
【課題を解決するための手段】
【０００７】
本発明に係るスピーカは、音響信号に応じた振動の付与される振動板と、該振動板の径方向外側部をフレームに対して振動可能に支持する支持部材とを有し、前記支持部材は、支持部材本体と、該支持部材本体の径方向内側に続いて形成され、前記振動板の径方向外側部に固定される内側固定部と、前記支持部材本体の径方向外側に続いて形成され、フレームの取付け部に固定される外側固定部とを有するスピーカであって、前記支持部材本体は、前記内側固定部の前記振動板に対する固定面に対向する側から前記固定面の外周縁と内周縁との間に向けて前記内側固定部に続いている構成となる。
【０００８】
このような構成により、支持部材の支持部材本体が、振動板の径方向外側部に固定された内側固定部に対してその固定面に対向する側から当該固定面の外周縁と内周縁との間に向けて続いている構造となっているので、振動板が大きく振動して支持部材本体内に発生した張力は、前記内側固定部の固定面が対向する側の前記支持部材本体との境界からその固定面の外周縁と内周縁との間に向けて当該内側固定部に作用する。このため、前記振動板の径方向外側部に固定された前記支持部材の内側固定部における固定面の外周縁及び内周縁に前記張力が集中し難くなる。
【０００９】
また、本発明に係るスピーカにおいて、前記内側固定部は、前記支持部材本体から前記固定面に向けて広がる断面形状を有する構成とすることができる。
【００１０】
このような構成により、支持部材本体内で発生し、内側固定部の固定面が対向する側の支持部材本体との境界からその固定面の外周縁と内周縁との間に向けて当該内側固定部に作用する張力が、前記内側固定部内を拡散し、分散して前記固定面に作用するようになるので、前記固定面の外周縁及び内周縁に作用する力をより低減させることができる。
【発明の効果】
【００１１】
本発明に係るスピーカによれば、振動板が大きく振動して支持部材本体内に発生した張力が、振動板の径方向外側部に固定された支持部材の内側固定部における固定面の外周縁及び内周縁に集中し難くなるので、振動板が大きく振動しても支持部材の固定部位（内側固定部）が当該振動板から剥離し難いものとなり得る。
【発明を実施するための最良の形態】
【００１２】
以下、本発明の実施の形態について、図面を用いて説明する。
【００１３】
本発明の実施形態に係るスピーカは、図１に示すように構成される。なお、図１は、スピーカの構造を示す断面図である。
【００１４】
図１において、このスピーカは、ヨーク２０、リング状の磁石３０及びリング状のトッププレート３１を備えている。ヨーク２０は円盤状の底部２１の中央に円柱状の突出部２２が形成された構造となっている。ヨーク２０の底部２１に磁石３０が突出部２２を囲むように固定され、更に、磁石３０上にトッププレート３１がヨーク２０の突出部２２を囲むように固定されている。これらヨーク２０、磁石３０及びトッププレート３１によって磁気回路ユニットが構成される。そして、トッププレート３１上に、前方に突出するホーン状のフレーム５０が固定され、そのフレーム５０の前端に取付け部５１が形成されている。
【００１５】
このスピーカは、更に、合成樹脂や薄い金属板あるいは紙等でコーン状に形成された振動板１０と、ボイスコイル４１がボビン４２に巻かれた構造となるボイスコイルユニット４０とを備えている。ボイスコイル４１がヨーク２０の突出部２２とトッププレート２１との間に形成された磁気ギャップＧ内に配置されるようにボビン４２の一端部が振動板１０の径方向内側部に固定されている。
【００１６】
振動板１０の径方向外側部とフレーム５０前端の取付け部５１との間に支持部材１１が介在している。支持部材１１は、ブチルゴム等の弾性材あるいは振動板１０と同様に合成樹脂や布等で形成され、支持部材本体１１０、外側固定部１１１及び内側固定部１１２にて構成されている。支持部材本体１１０は、前方に突出した椀状となる断面形状を有し、全体がリング状に形成されている。外側固定部１１１が支持部材本体１１０の径方向外側に続いて形成され、また、内側固定部１１２が支持部材本体１１０の径方向内側に続いて形成されている。外側固定部１１１がフレーム５０前端の取付け部５１に接着固定され、内側固定部１１２が振動板１０の径方向外側部裏面に接着固定されている。このようにして、振動板１０の径方向外側部が、外周縁部（外側固定部１１１）がフレーム５０前端の取付け部５１に固定された支持部材２によって振動可能に支持される。
【００１７】
振動板１０の径方向外側部を前述したように支持する支持部材１１の更に詳細な構造について図１のＡ部詳細を示す図２を参照して説明する。
【００１８】
図２において、支持部材１１の外側固定部１１１は、フレーム５０前端の取付け部５１における前方（図２における上方向）に向いた取付け面５１ａに接着固定されている。支持部材１１の支持部材本体１１０は、振動板１０に接着固定された内側固定部１１２の振動板１０に対する接着面１１２ａ（固定面）に対向する側（図示下側）からその接着面１１２ａの径方向における外周縁ＬOEと内周縁ＬIEとの間に向けて内側固定部１１２に続いている。そして、内側固定部１１２は、支持部材本体１１０との境界部から接着面１１２ａに向けて広がる断面形状を有している。
【００１９】
なお、図１に示すように、合成樹脂や布等でリング状に形成されたダンパー１５が、振動板１０の内方に配置されるように、その外周縁部がフレーム５０の平坦部５２に接着固定され、その内周縁部がボビン４２の所定部位に接着固定されている。ダンパー１５によってボイスコイルユニット４０が前後方向に振動可能に支持される。また、振動板１０上にはボビン４２を覆うように椀状のダストキャップ１６が設けられている。
【００２０】
このような構造のスピーカでは、ボイスコイルユニット４０のボイスコイル４１に音響信号が与えられると、ボイスコイル４１に流れる電流と磁気回路ユニット（ヨーク２０、磁石３０、トッププレート３１）から発生する磁束との相互作用によって、ボイスコイル４１がボビン４２と一体となって前後方向（図１における上下方向）に振動し、その振動が振動板１０の径方向内側部に付与される。このように振動板１０の径方向内側部に音響信号に応じた振動が付与されると、支持部材１１によって径方向外側部の支持された振動板１０が、図２の状態Ａ０、状態Ａ１、状態Ａ２のように振動する。このような音響信号に基づく振動板１０の振動によってその音響信号に応じた音が前方に発せられる。
【００２１】
例えば、図２の状態Ａ２のように、振動板１０の前方への振幅が大きくなった場合、支持部材１１の支持部材本体１１０が引き伸ばされてその支持部材本体１１０に張力Ｆが発生する。この張力Ｆは、内側固定部１１２の接着面１１２ａが対向する側の支持部材本体１１０との境界からその接着面１１２ａの外周縁ＬOEと内周縁ＬIEとの間に向けてその内側固定部１１２に作用する。すると、その張力Ｆは、接着面１１２ａに向けて広がる内側固定部１１２を拡散し、その接着面１１２ａに分散して作用する。
【００２２】
前述したような本発明の第１の実施の形態に係るスピーカでは、振動板１０の振動振幅が大きくなった場合、支持部材１１の支持部材本体１１０に発生する張力Ｆが、接着面１１２ａに向けて広がる内側固定部１１２を拡散し、その接着面１１２ａに分散して作用するので、内側固定部１１２の接着面１１２ａの外周縁ＬOE及び内周縁ＬIEに剥離する力が集中的に作用することがない。従って、振動板１０が大きく振動してもその内側固定部１１２が振動板１０から剥離し難くなる。
【００２３】
振動板１０の径方向外側部に接着固定される支持部材１１の内側固定部１１２は、図３に示すような内側固定部１１３に代えることもできる。
【００２４】
この場合、支持部材１１の内側固定部１１３が略板状となっており、支持部材本体１１０が内側固定部１１３の振動板１０に対する接着面１１３ａに対向する面の径方向における略中央に続いている。このようなスピーカでは、図３の状態Ａ２のように、振動板１０の振幅が大きくなった場合、支持部材本体１１０に発生した張力Ｆは、内側固定部１１３の接着面１１３ａの略中央部に集中するように作用し、その接着面１１３ａの外周縁ＬOE及び内周縁ＬIEにはそれを剥離させる力が集中しない。従って、振動板１０が大きく振動してもその内側固定部１１３が振動板１０から剥離し難くなる。
【００２５】
前述した支持部材１１は、図４に示すような構造の支持部材１２に代えることができる。
【００２６】
この場合、支持部材１２の支持部材本体１２０は、図１に示すものとは逆に、後方に突出した椀状となる断面形状を有している。そして、図１に示すものと同様に、外側固定部１２１が支持部材本体１２０の径方向外側に続いて形成され、また、内側固定部１２２が支持部材本体１２０の径方向外側に続いて形成されている。内側固定部１２２の構造は、図２に示す内側固定部１１２と同様となっている。外側固定部１２１はフレーム５０前端の取付け部５１の取付け面５１ａに接着固定され、内側固定部１２２は振動板１０の径方向外側部裏面に接着固定されている。
【００２７】
このような構造の支持部材１２を有するスピーカも、前述したスピーカ（図１、図２参照）と同様に、振動板１０の振幅が大きくなった場合（図２の状態Ａ２参照）、支持部材本体１２０に発生する張力Ｆは、内側固定部１２２を拡散して、振動板１０に対する接着面に分散して作用する。そのため、振動板１０が大きく振動しても内側固定部１２２の接着面の外周縁及び内周縁に剥離する力が集中することがなく、内側固定部１２２が振動板１０から剥離し難くなる。
【００２８】
更に、図１に示す支持部材１１は、図５及び図６に示すような構造の支持部材１３に代えることができる。
【００２９】
この場合、支持部材１３の支持部材本体１３０は、図５に示すように、径方向及び周方向にジグザグに屈曲した構造となっている。そして、図６に示すように、外側固定部１３１が支持部材本体１３０の径方向最外周屈曲部に続いて形成され、また、内側固定部１３２が支持部材本体１３０の径方向最内周屈曲部に続いて形成されている。内側固定部１３２の構造は、図２に示す内側固定部１１２と同様となっている。外側固定部１３１はフレーム５０前端の取付け部５１の取付け面５１ａに接着固定され、内側固定部１３２は振動板１０の径方向外側部に接着固定されている。
【００３０】
このような構造の支持部材１３を有するスピーカも、前述したスピーカ（図１、図２参照）と同様に、振動板１０が大きく振動しても支持部材本体１３０内に発生する張力Ｆに起因して内側固定部１３２の接着面の外周縁及び内周縁に剥離する力が集中することがなく、内側固定部１３２が振動板１０から剥離し難いものとなる。
【産業上の利用可能性】
【００３１】
以上、説明したように、本発明に係るスピーカは、振動板が大きく振動しても支持部材の固定部位が当該振動板から剥離し難いという効果を有し、外周縁部がフレーム前端の取付け部に固定された支持部材にて振動板の径方向外側部が支持された構造となるスピーカとして有用である。
【図面の簡単な説明】
【００３２】
【図１】本発明の実施の一形態に係るスピーカの構造を示す断面図である。
【図２】図１におけるＡ部の詳細断面図である。
【図３】支持部材における内側固定部の他の構造例を示す断面図である。
【図４】他の形状となる支持部材にて振動板が支持されたスピーカの構造例を示す断面図である。
【図５】更に他の形状となる支持部材にて振動板が支持されたスピーカの構造例を示す断面図である。
【図６】図５に示すスピーカの外周部位を部分的に示す平面図である。
【図７】従来のスピーカの構造例を示す断面図である。
【符号の説明】
【００３３】
１０  振動板
１１、１２、１３  支持部材
１５  ダンパー
１６  ダストキャップ
２０  ヨーク
２１  底部
２２  突起部
３０  磁石
３１  トッププレート
４０  ボイスコイルユニット
４１  ボイスコイル
４２  ボビン
５０  フレーム
５１  取付け部
１１０、１２０、１３０  支持部材本体
１１１、１２１、１３１  外側固定部
１１２、１１３、１２２、１３２  内側固定部
【図１】
2006340184.tif 000003
【図２】
2006340184.tif 000004
【図３】
2006340184.tif 000005
【図４】
2006340184.tif 000006
【図５】
2006340184.tif 000007
【図６】
2006340184.tif 000008
【図７】
2006340184.tif 000009